(57)【要約】【課題】バリカンで刈った草木の切屑をバリカン上で受け止めるようにする。【解決手段】櫛状の切断刃（２）による刈り込みにより生じた切屑を受け止めるレシーバ（５）がハウジング（１）に設けられ、前記レシーバはハウジングに対してその取り付け位置を上下方向に変更可能である。【選択図】図２
2008017852.tif 000002
【特許請求の範囲】
【請求項１】
櫛状の切断刃をハウジングの前方に備え、当該切断刃の左右への往復角運動により刈り込みを行う手持式芝刈機であって、
前記切断刃による刈り込みにより生じた切屑を受け止めるレシーバを具備し、
前記レシーバは、底板を有し、前記ハウジングに対してその取り付け位置を上下方向に変更可能に設けられていることを特徴とする手持式芝刈機。
【請求項２】
前記底板は、前記切断刃の下部から前記ハウジングにかけて配置されていることを特徴とする請求項１に記載の手持式芝刈機。
【請求項３】
前記レシーバは、着脱手段を介して前記ハウジングに着脱自在に取り付けられるとともに、前記ハウジングに対するその取り付け位置を前記着脱手段を介して上下方向に変更可能に設けられていることを特徴とする請求項１、又は２に記載の手持式芝刈機。
【発明の詳細な説明】
【技術分野】
【０００１】
本発明は、切屑を受け止めるレシーバを備えた手持式芝刈機に関する。
【背景技術及び発明が解決しようとする課題】
【０００２】
特開２０００−８３４７５が開示する手持式芝刈機は上下に重なり合う櫛状の切断刃を互いに逆向きに往復角運動させることで草木を刈り込むようになっているが、このような手持式芝刈機で草木を刈ると、切屑はそのまま落下するので、後の清掃が面倒である。
【０００３】
また、実開平３−７４２２７が開示する手持式芝刈機は、上下に重なり合う櫛状の切断刃を互いに逆向きに往復直線運動させることで草木を刈り込むようになっており、この切断刃の中央に沿って配置される切屑の捕集部材を備えるが、この捕集部材は切断刃の板状押え板にボルト・ナットにより固着されるので、捕集部材の着脱が不自由であり、また手持式芝刈機の清掃作業の邪魔になる。
【０００４】
【特許文献１】特開２０００−８３４７５号公報
【特許文献２】実開平３−７４２２７号公報
【発明の開示】
【課題を解決するための手段】
【０００５】
上記問題点を解決するため、請求項１の発明は、櫛状の切断刃（２）をハウジング（１）の前方に備え、当該切断刃の左右への往復角運動により刈り込みを行う手持式芝刈機であって、前記切断刃による刈り込みにより生じた切屑を受け止めるレシーバ（５）を具備し、前記レシーバは、底板（６）を有し、前記ハウジングに対してその取り付け位置を上下方向に変更可能に設けられていることを特徴とする。
【０００６】
また、請求項２の発明は、請求項１に記載の手持式芝刈機において、前記底板は、前記切断刃の下部から前記ハウジングにかけて配置されていることを特徴とする。
【０００７】
また、請求項３の発明は、請求項１又は請求項２に記載の手持式芝刈機において、前記レシーバは、着脱手段（１４、１５）を介して前記ハウジングに着脱自在に取り付けられるとともに、前記ハウジングに対するその取り付け位置を前記着脱手段を介して上下方向に変更可能に設けられていることを特徴とする。
【発明の効果】
【０００８】
本発明によれば、レシーバの取付位置を上下方向に変更可能であるため、芝草等の刈り込み高さを調整できる。
【０００９】
また、レシーバにより切屑を受け止めつつ刈り込み作業を行うことで後の切屑等の清掃が不要になる。
【００１０】
さらに、レシーバは、その取付位置を着脱手段により上下方向に変更可能としたので、芝草等の刈り込み高さをより容易に調整できる。
【発明を実施するための最良の形態】
【００１１】
次に、本発明の実施の形態を図面を参照して説明する。
【００１２】
＜実施の形態１＞
図１乃至図４に示すように、この手持式芝刈機は、ハウジング１と、ハウジング１からその前方に突出する切断刃２とを具備する。
【００１３】
ハウジング１は例えば左右二つ割りの割り型を結合させることにより形成される。ハウジング１の後部にはハンドル３が一体的に設けられる。ハンドル３の内側にはＯＮ・ＯＦＦスイッチのトリガー４が設けられる。図示しないが、ハウジング１の内部には、原動部、伝動部等が収納される。原動部としては例えばモータが用いられ、伝動部としては例えばカム装置が用いられる。ハンドル３を持つ手の指でトリガー４を操作し、ＯＮ・ＯＦＦスイッチをＯＮ・ＯＦＦ切換えすることにより、モータが起動し又は停止する。
【００１４】
切断刃２は、櫛状の上刃２ａと同じく櫛状の下刃２ｂとを重ね合わせたうえで図示しない枢ピンで連結することにより構成される。枢ピンを支点にして上下刃２ａ，２ｂが左右に往復角運動すると、櫛状の歯が繰り返し交差して草木を切断する。図示しないが上下刃２ａ，２ｂの枢ピンより後方の部分には、それぞれ長孔が形成され、各長孔に上記カム装置の上下のカムが嵌まり込む。上下のカムは位相が１８０度ずれるように一体化されている。原動部のモータの起動によりカムが回転すると、上下刃２ａ，２ｂは互いに反対向きに往復角運動を行い、櫛状の歯間に入る草木を切断する。
【００１５】
ハウジング１には、図５及び図６に示すレシーバ５が、図１乃至図４に示すように着脱可能に取り付けられる。
【００１６】
レシーバ５は、櫛状の切断刃２による刈り込みにより生じた切屑を受け止めるための捕集具であり、図５及び図６に示すように、手持式芝刈機の左右方向に延びる底板６と、底板６の後部から斜め後方に立ち上がる背板７とを具備する。レシーバ５は例えば樹脂の射出成形、金属板のプレス成形等により望ましくは一体に形成される。底板６及び背板７の中央部にはハウジング１の前部が嵌り込む略Ｕ字形の切欠８が形成される。図１乃至図４に示すように、レシーバ５がハウジング１に取り付けられると、底板６、背板７及びハウジング１との間に切屑を受け止める捕集部が形成される。底板６の前端６ａは、切断作業に支障を来たさないように切断刃２の櫛状の歯よりややハウジング１側に後退している。
【００１７】
この実施の形態では、レシーバ５は次のような着脱手段を介してハウジング１に着脱自在に取り付けられる。
【００１８】
すなわち、図５及び図６に示すように、背板７の切欠８に臨む箇所に一対の凹部９が形成され、図１乃至図４に示すように、ハウジング１の左右の側面には各凹部９に嵌まり込む凸部１０が形成される。凸部１０はハウジング１の左右の側面から水平に突出する丸軸として形成され、凹部９は各凸部１０である丸軸が入り込む丸穴として形成される。凹部９である丸穴の下部にはレシーバ５をハウジング１に着脱する際に凸部１０を通すための開口９ａが形成される。図１乃至図４に示すように、凹凸部９，１０の嵌合によりレシーバ５は前後方向に動かないようハウジング１に取り付けられる。また、図５及び図６に示すように、レシーバ５の底板６の後縁から切欠８内へと係止片１１が舌状に突出する。図２乃至図４に示すように、この係止片１１がハウジング１の底面１ａに弾性変形を伴って接触することにより、レシーバ５は凹凸部９，１０を支点に上下に回動しないようハウジング１に固定される。
【００１９】
このレシーバ５は切断刃２の左右縁よりもさらに外側へと大きく突出するように形成してもよいが、望ましくは図１、図３及び図４に示すように、左右縁５ａ，５ｂが切断刃２の左右両側に対応するように形成される。この場合もレシーバ５の左右縁５ａ，５ｂは切断刃２の左右両側よりも多少突出するが、その突出量は例えば数ｍｍ程度である。芝草等を際刈りする場合、このレシーバ５の左右縁５ａ，５ｂをガイドとして図示しないブロック塀等に沿ってスライドさせれば、刈り取り作業が効率化される。
【００２０】
次に、この手持式芝刈機の作用について説明する。
【００２１】
まず、レシーバ５を切断刃２の下方からハウジング１に近づけて係止片１１をハウジング１の底面１ａに当て、続いてレシーバ５を後方向にスライドさせ、レシーバ５の凹部９をハウジング１の凸部１０に対向させる。そこで、レシーバ５又は係止片１１を撓ませて凹部９内に凸部１０を嵌め込む。
【００２２】
レシーバ５は、図１乃至図４に示すように、凹凸部９，１０の嵌合、係止片１１のハウジング底面１ａへの係止、切欠８内へのハウジング１の挿入等により、ハウジング１に固定される。
【００２３】
そこで、手持式芝刈機のハンドル３を持ちトリガー４を引くと、モータが起動し、切断刃２の上下刃２ａ，２ｂが左右に往復角運動を行う。この切断刃２を草木に当てることにより、草木が刈り込まれる。
【００２４】
刈り込みにより生じた切屑は手持式芝刈機下に落下することなくレシーバ５の底板６と背板７との間の空所に受け止められレシーバ５上に蓄積する。
【００２５】
レシーバ５をハウジング１から外すには、レシーバ５を上方向に押し上げるようにしてレシーバ５と係止片１１を弾性変形させ、凹凸部９，１０を離反させる。続いてレシーバ５をハウジング１の前方へとスライドさせ、係止片１１をハウジング１の底面１ａから離脱させる。
【００２６】
これにより、レシーバ５は手持式芝刈機から取り外され、レシーバ５と手持式芝刈機はそれぞれ清掃等に付される。
【００２７】
＜実施の形態２＞
図７乃至図９に示すように、この実施の形態２では、実施の形態１の場合と異なり、レシーバ５とハウジング１に形成される凹凸部９，１０がそれぞれ角穴と角軸により形成される。具体的には、凸部１０が板片として形成され、凹部９が板片の嵌まり込む矩形穴として形成される。
【００２８】
このように凹凸部９，１０が角穴と角軸により形成されるとレシーバ５は上下方向に回動し難くなるので、係止片１１は省略可能である。
【００２９】
なお、この実施の形態２において実施の形態１における部分と同一部分には同じ符号を付して示すこととしその詳細な説明は省略する。
【００３０】
＜実施の形態３＞
図１０乃至図１２に示すように、この実施の形態３では、実施の形態１及び実施の形態２の場合と異なり、レシーバ５をハウジング１に取り付けるための凹部９がハウジング１の左右の側面に形成され、凸部１０がレシーバ５の切欠８に臨む箇所に形成される。
【００３１】
この凹凸部９，１０は実施の形態１の場合のように丸穴及び丸軸とすることもできる。係止片１１は必要に応じて設けることが可能である。
【００３２】
なお、この実施の形態３において実施の形態１又は実施の形態２における部分と同一部分には同じ符号を付して示すこととしその詳細な説明は省略する。
【００３３】
＜実施の形態４＞
図１３及び図１４に示すように、この実施の形態４では、実施の形態１乃至実施の形態３の場合と異なり、ハウジング１の底板部１ｂがハウジング本体に対して着脱自在に形成され、レシーバ５がこのハウジング１の底板部１ｂと一体的に形成される。ハウジング１の底板部１ｂをハウジング本体に対し着脱するために、底板部１ｂの左右縁と後縁にはそれぞれ嵌合片１２とバネ片１３が設けられる。
【００３４】
ハウジング１の底板部１ｂがハウジング本体に嵌め込まれると同時にレシーバ５がハウジング１に装着され、ハウジング１の底板部１ｂがハウジング本体から取り外されると同時にレシーバ５がハウジング１から除去される。
【００３５】
なお、この実施の形態４において実施の形態１乃至実施の形態３における部分と同一部分には同じ符号を付して示すこととしその詳細な説明は省略する。
【００３６】
＜実施の形態５＞
図１５及び図１６に示すように、この実施の形態５では、実施の形態１乃至実施の形態４の場合と異なる着脱手段を介してレシーバ５がハウジング１に着脱自在に取り付けられる。
【００３７】
すなわち、背板７の切欠８に臨む左右の二箇所からハウジング１の左右の側面に沿うように取付板１４が後方へと突出し、これらの取付板１４がハウジング１の側面に取付用ネジ１５で固定される。取付用ネジ１５は図示しないネジ棒につまみを固定してなるもので、ネジ棒が取付板１４を貫通しハウジング１の側面に形成された図示しないネジ孔に螺合する。取付用ネジ１５が締め付けられることによりレシーバ５は取付板１４を介しハウジング１に固定され、取付用ネジ１５が緩められることによりレシーバ５はハウジング１から取り外される。
【００３８】
なお、実施の形態５の場合には、例えば取付用ネジ１５の箇所を支点にして、レシーバ５を回動し、レシーバ５の取付角度を変更することにより、芝草等の刈り込み高さを調整することも可能である。また、実施の形態５の場合には、取付板１４に形成された取付用ネジ１５の貫通穴を上下方向の長穴に形成し、レシーバ５の取付位置を上下に位置変更可能に形成すると、芝草等の刈り込み高さをより容易に調整可能である。
【００３９】
なお、この実施の形態５において実施の形態１乃至実施の形態４における部分と同一部分には同じ符号を付して示すこととしその詳細な説明は省略する。
【００４０】
＜実施の形態６＞
図１７及び図１８に示すように、この実施の形態６では、実施の形態１乃至実施の形態５の場合と異なる着脱手段を介してレシーバ５がハウジング１に着脱自在に取り付けられる。
【００４１】
すなわち、レシーバ５の底板６の後縁から切欠８内へと舌状に突出する係止片１１がハウジング１の底面１ａに取付ネジ１６により固定される。取付ネジ１６が締め付けられることによりレシーバ５はハウジング１に固定され、取付ネジ１６が緩められることによりレシーバ５はハウジング１から取り外される。
【００４２】
なお、この実施の形態６において実施の形態１乃至実施の形態５における部分と同一部分には同じ符号を付して示すこととしその詳細な説明は省略する。
【００４３】
その他、上記各実施の形態において、レシーバ５は手持式芝刈機のハウジング１と成形当初より一体的に形成することも可能である。
【図面の簡単な説明】
【００４４】
【図１】本発明の実施の形態１に係る手持式芝刈機の平面図である。
【図２】図１に示す手持式芝刈機の正面図である。
【図３】図１に示す手持式芝刈機の底面図である。
【図４】図１に示す手持式芝刈機の左側面図である。
【図５】図１に示す手持式芝刈機から取り外したレシーバの平面図である。
【図６】図５中ＶＩ−ＶＩ線矢視断面図である。
【図７】本発明の実施の形態２に係る手持式芝刈機の要部を示す部分図である。
【図８】図７に示すレシーバの平面図である。
【図９】図８中ＩＸ−ＩＸ線矢視断面図である。
【図１０】本発明の実施の形態３に係る手持式芝刈機の要部を示す部分図である。
【図１１】図１０に示すレシーバの平面図である。
【図１２】図１１中ＸＩＩ−ＸＩＩ線矢視断面図である。
【図１３】本発明の実施の形態４に係る手持式芝刈機で用いるレシーバの底面図である。
【図１４】図１３中ＸＩＶ−ＸＩＶ線矢視断面図である。
【図１５】本発明の実施の形態５に係る手持式芝刈機の底面図である。
【図１６】図１５に示す手持式芝刈機の正面図である。
【図１７】本発明の実施の形態６に係る手持式芝刈機の底面図である。
【図１８】図１７中ＸＶＩＩＩ−ＸＶＩＩＩ線矢視断面図である。
【符号の説明】
【００４５】
２…切断刃
５…レシーバ
５ａ，５ｂ…左右縁
【図１】
2008017852.tif 000003
【図２】
2008017852.tif 000004
【図３】
2008017852.tif 000005
【図４】
2008017852.tif 000006
【図５】
2008017852.tif 000007
【図６】
2008017852.tif 000008
【図７】
2008017852.tif 000009
【図８】
2008017852.tif 000010
【図９】
2008017852.tif 000011
【図１０】
2008017852.tif 000012
【図１１】
2008017852.tif 000013
【図１２】
2008017852.tif 000014
【図１３】
2008017852.tif 000015
【図１４】
2008017852.tif 000016
【図１５】
2008017852.tif 000017
【図１６】
2008017852.tif 000018
【図１７】
2008017852.tif 000019
【図１８】
2008017852.tif 000020